(57)【特許請求の範囲】
【請求項１】
ケーシング内に内蔵された送風機と、該送風機の吸込側に配設されたメインフィルターと、該メインフィルターと前記送風機の吸込側との間に配設された光触媒フィルターと、該光触媒フィルターを活性化させる近紫外線を放射するランプとを備えた空気清浄機であって、前記メインフィルターと前記送風機の吸込側を仕切る仕切板との間に所定の空間を設けるとともに、該仕切板に形成された前記送風機の吸込口の口縁前面には、前記光触媒フィルターを着脱自在に取り付ける位置決め部と前記ランプの両端部を着脱自在に嵌挿する一対の凹部とを形成し、該凹部に取り付けられたランプと前記光触媒フィルターとの間には、所定の間隔を確保し得るように構成したことを特徴とする空気清浄機。
【発明の詳細な説明】
【０００２】
【産業上の利用分野】
【０００３】
本願発明は、室内空気を脱臭浄化するために用いられる空気清浄機に関するものである。
【従来の技術】
【０００４】
近年、室内空気に含まれる異臭物質等を脱臭除去することにより、室内空気を清浄化するために空気清浄機が開発され、使用されてきている。
【０００５】
上記空気清浄機としては、ケーシングに送風機およびメインフィルターを内蔵し、空気吸込口から吸い込まれた室内空気を、メインフィルターを通過させて脱臭した後、空気吹出口から室内へ吹き出すように構成されたものが従来から良く知られているが、脱臭機能をさらに向上させるために、前記メインフィルターの下流側に光触媒を塗布してなる光触媒フィルターと該光触媒を活性化させるための近紫外線を放射するランプとを配設したものが開発されている。
【発明が解決しようとする課題】
【０００６】
ところで、光触媒フィルターとランプとの位置関係としては、ランプから放射される近紫外線が光触媒フィルターの全面に照射されることが望ましいが、メインフィルターと光触媒フィルターとの間にも、メインフィルターの全面を通過した空気流を流通し易くするために所定の空間を確保する必要があるところから、ランプの取付位置によっては、製品の奥行き寸法が大きくなってしまうという問題が生ずる。
【０００７】
本願発明は、上記の点に鑑みてなされたもので、製品のコンパクト化を図りつつ光触媒フィルターによる脱臭効率の向上を図ることを目的とするものである。
【課題を解決するための手段】
【０００８】
請求項１の発明では、上記課題を解決するための手段として、ケーシング内に内蔵された送風機と、該送風機の吸込側に配設されたメインフィルターと、該メインフィルターと前記送風機の吸込側との間に配設された光触媒フィルターと、該光触媒フィルターを活性化させる近紫外線を放射するランプとを備えた空気清浄機において、前記メインフィルターと前記送風機の吸込側を仕切る仕切板との間に所定の空間を設けるとともに、該仕切板に形成された前記送風機の吸込口の口縁前面に、前記光触媒フィルターを着脱自在に取り付ける位置決め部と前記ランプの両端部を着脱自在に嵌挿する一対の凹部とを形成し、該凹部に取り付けられたランプと前記光触媒フィルターとの間に、所定の間隔を確保し得るように構成している。
【０００９】
上記のように構成したことにより、メインフィルターを通過した空気流の流通空間を十分に確保することができるとともに、光触媒フィルターとランプとの間に光の照射空間（即ち所定の間隔）を確保することができる。従って、製品の奥行き寸法をコンパクト化しつつランプによる光触媒フィルターの活性化効率を向上させることができる。また、一対の凹部にランプの両端部を嵌挿することにより、簡単な構造でランプの位置決めを行うことができる。
【発明の実施の形態】
【００１０】
以下、添付の図面を参照して、本願発明の好適な実施の形態について説明する。
【００１１】
この空気清浄機は、図１ないし図３に示すように、略矩形箱状のケーシング１内に送風機２と該送風機２の吸込側に位置して空気中の塵埃、異臭物質等を吸着補集するメインフィルター３と、該メインフィルター３と前記送風機２の吸込側との間に配設された光触媒フィルター４と、該光触媒フィルター４を活性化させる近紫外線を放射するランプ５とを配設して構成されている。
【００１２】
前記ケーシング１は、前記送風機２の吸込側に位置する背面側が開放された合成樹脂製の前面枠６と、該前面枠６と対向する前面側が開放された合成樹脂製の背面枠７とからなっており、該背面枠７と前記前面枠６とはビス８を介して結合されている。
【００１３】
前記ケーシング前面枠６には、矩形形状の空気吸込口９が形成されており（図２参照）、該空気吸込口９には吸込グリル１０が着脱自在に配置されている。
【００１４】
一方、前記ケーシング背面枠７における上面一側（図３の左側部分）には、清浄空気Ｗｆを吹き出すための空気吹出口１１が形成されている。
【００１５】
前記送風機２は、駆動源であるファンモータ１２と該ファンモータ１２により回転駆動される多翼羽根車１３と該多翼羽根車１３を被包するスクロールタイプのファンハウジング１４（図３参照）とからなる多翼遠心型送風機とされており、該ファンハウジング１４は、前記送風機２の吸込側を仕切る仕切板１５と前記背面枠７の一部（例えば、背面部７ａおよび該背面部７ａより前方に一体突出されたリブ７ｂ）とによって構成されている。前記仕切板１５には、送風機２の吸込口１６が形成されている。また、前記ファンハウジング１４の上部には、前記空気吹出口１１に対応する位置に吐出口１７が形成されている。
【００１６】
前記仕切板１５における吸込口１６の口縁には、前記ファンモータ１２を支持するためのモータ支持部材１８が一体に形成されている。該モータ支持部材１８は、前記吸込口１６の口縁において円周方向等間隔となる位置から中心方向に向かい且つケーシング１の背面側に向かって湾曲して延びる３本の支持腕部１８ａ，１８ａ，１８ａと、該支持腕部１８ａ，１８ａ，１８ａを連結するとともに前記ファンモータ１２を支持する円盤状のモータダイ部１８ｂとからなっている。そして、ファンモータ１２は、前記モータ支持部材１８におけるモータダイ部１８ｂと、該各支持腕部１８ａにビス１９により固定された断面略Ｌ字状の固定部材２０との間に挟持された状態で支持されている。
【００１７】
前記メインフィルター３は、吸込空気Ｗｒに含まれる塵埃等を除去するためのプレフィルター２１と、該プレフィルター２１の下流側に一体的に設けられ、吸込空気Ｗｒに含まれる臭気成分等を吸着除去する活性炭フィルター２２とからなっており、前記プレフィルター２１と活性炭フィルター２２とは、その外周をテープ２３で固定することにより一体化されている（図４および図５参照）。
【００１８】
このメインフィルター３は、送風機２の吸込側に位置して前記空気吸込口９に連続するように前記前面枠６に一体成形されたフィルター支持枠２４に着脱自在に嵌挿支持されることとなっているが、本実施の形態においては、前記メインフィルター３と前記フィルター枠２４との嵌め合わせ面は、吸込方向に向かって開口面積が小さくなるテーパ形状とされている。つまり、メインフィルター３の外周面およびフィルター枠２４の内周面は、吸込方向に向かって縮小する傾斜角θを有しているのである。このようにすると、メインフィルター３の嵌め合わせ面が吸込空気圧によってフィルター枠２４に面接触状態で圧接されることとなり、メインフィルター３とフィルター枠２４との間の空気漏れを防止できることとなる。従って、吸込空気流の全量がメインフィルター３を通過することとなり、空気清浄性能を向上させることができる。
【００１９】
前記光触媒フィルター４は、図６に示すように、平板状の紙と波板状の紙とを交互に接合してなる矩形形状のフィルター本体４ａに光触媒Ｍ（例えば、酸化チタン）を塗布して構成されており、前記仕切板１５における吸込口１６の口縁前面に形成された４カ所の位置決め部２５，２５・・に対して着脱自在に位置決め固定されることとなっている。符号２６は前記位置決め部２５，２５・・間に形成されたリブであり、該リブ２６，２６・・の存在により光触媒フィルター４を吸込口１６の口縁から若干浮かせた状態で取り付けられるのである。
【００２０】
さらに、前記仕切板１５の前面において前記位置決め部分２５，２５・・の外側位置には、メインフィルター３と光触媒フィルター４との間の隙間Ａを確保してメインフィルター３を通過した空気流を吸込口１６へ導くフィルター支持リブ２７，２７・・が一体に突設されている。このようにすると、メインフィルター３と光触媒フィルター４との間に、空気の流通を容易にするに十分な隙間Ａを確保することができることとなり、メインフィルター３を通過する風量を大きくすることができる。従って、空気清浄性能が向上することとなる。
【００２１】
前記ランプ５は、棒状の近紫外線ランプとされており、図７に示すように、前記仕切板１５における吸込口１６の口縁において前記光触媒フィルター３の対角線に対応する位置に形成された一対の凹部２８，２８に両端部を嵌挿することにより着脱自在に取り付けられている。このようにすると、光触媒フィルター４とランプ５との間に所定の間隔Ｂ（換言すれば、光の照射空間）を確保することができるとともに、ランプ５から発せられる近紫外線の光触媒フィルター４への照射効率を向上させることができる。従って、製品の奥行き寸法をコンパクト化しつつ光触媒フィルター３の活性化効率を向上させることができる。なお、ランプ５の中間部の撓みを防止するために、前記モータ支持部材１８におけるモータダイ部１８ｂの前面には、ランプ５の中間部を支持するリブ２９，２９が数対一体形成されている（図２参照）。
【００２２】
上記したようなランプ５の配設構造とすると、ランプ５からの近紫外線が送風機２における羽根車１３をも照射することとなるので、本実施の形態においては、この羽根車１３にも光触媒Ｍが塗布されている（図１参照）。送風機２の羽根車１３についた汚れを分解することができることとなり、連続使用の場合でも羽根車１３表面に汚れがつきにくくなる。
【００２３】
ところで、この空気清浄機によって清浄化された清浄空気Ｗｆに芳香を付与して、室内環境の快適化を図る試みがなされているが、従来の方式では、送風機２から吹き出される空気流Ｗｆの主流中（即ち、送風機２の吐出口１７から空気吹出口１１に至る空気流路）に消臭芳香剤を配置させるようにしていた。ところが、このようにすると、消臭芳香剤への空気の接触量が大きくなるため、圧力損失が生じるばかりでなく、消臭芳香剤の時間当たりの消費量も増大して消臭芳香剤の寿命が短くなってしまうという問題があった。
【００２４】
そこで、本実施の形態においては、送風機２から吹き出される空気流Ｗｆの主流（即ち、送風機２の吐出口１７から空気吹出口１１に至る空気流路）から離れた位置に消臭芳香剤Ｆを配置するようにしている（図３参照）。符号１１ａは消臭芳香剤Ｆを通過した空気流Ｗ′が流出する空気吹出口である。このようにすると、消臭芳香剤Ｆには、送風機２から吹き出される空気流Ｗｆに誘引される低速な空気流Ｗ′が接触することとなり、送風機２からの空気流Ｗｆに圧力損失が生ずることもないし、消臭芳香剤Ｆの寿命も長くできるとともに、清浄空気Ｗｆに付与される芳香もほのかなものとなる。
【００２５】
また、上記構成の空気清浄機の場合、大風量が得られるように送風機２における多翼羽根車１３の径が大きくされる。すると、ファンモータ１２の振動が多翼羽根車１３に伝達されて、振動音が発生するおそれがあるところから、ファンモータ１２の回転軸１２ａと多翼羽根車１３との結合構造に工夫を凝らす必要がある。
【００２６】
そこで、本実施の形態においては、図８および図９に示すように、ファンモータ回転軸１２ａの先端部に、円筒状の防振ゴム３１を外挿圧入してなる軸受ボス３０を固着し、前記防振ゴム３１の外周部に埋め込まれた取付金具３２を介して多翼羽根車１３を支持するようにしている。前記軸受ボス３０および防振ゴム３１の軸方向両端は、前記ファンモータ回転軸１２ａに固着された軸受金具３３と前記ファンモータ回転軸１２ａの先端に螺着されるナット３５により締め付けられる軸押さえ金具３４との間に挟着固定されている。さらに、前記防振ゴム３１における軸押さえ金具３４との圧接面には、環状部３６ａと該環状リブ３６ａから中心部に向かって延びる周方向等間隔の複数個（例えば、６個）の放射状リブ３６ｂ，３６ｂ・・とからなるリブ３６が一体に突設されている。このようにすると、ファンモータ１２の振動伝達が防振ゴム３１により遮断されるとともに、リブ３６の弾性変形により防振ゴム３１の支持剛性が強化されることとなって多翼羽根車１３の回転ブレを防止することができる。なお、リブ３６は、本実施の形態における形状に限定されることはなく、周方向に均等な弾性変形量が得られる形状であればよい。
【００２７】
上記のように構成された空気清浄機においては、送風機２の駆動により空気吸込口９から吸い込まれた室内空気Ｗｒは、メインフィルター３により塵埃等の除去および異臭物質等の吸着補集が行われ、さらに光触媒フィルター４により臭気成分等を分解除去されて清浄空気Ｗｆとなり、空気吹出口１１から室内へ吹き出される。
【発明の効果】
【００２８】
請求項１の発明によれば、ケーシング内に内蔵された送風機と、該送風機の吸込側に配設されたメインフィルターと、該メインフィルターと前記送風機の吸込側との間に配設された光触媒フィルターと、該光触媒フィルターを活性化させる近紫外線を放射するランプとを備えた空気清浄機において、前記メインフィルターと前記送風機の吸込側を仕切る仕切板との間に所定の空間を設けるとともに、該仕切板に形成された前記送風機の吸込口の口縁前面に、前記光触媒フィルターを着脱自在に取り付ける位置決め部と前記ランプの両端部を着脱自在に嵌挿する一対の凹部とを形成し、該凹部に取り付けられたランプと前記光触媒フィルターとの間に、所定の間隔を確保し得るように構成して、メインフィルターを通過した空気流の流通空間を十分に確保することができるとともに、光触媒フィルターとランプとの間に光の照射空間（即ち、所定の間隔）を確保することができるようにしたので、製品の奥行き寸法をコンパクト化しつつ光触媒フィルターの活性化効率を向上させることができるという効果がある。また、一対の凹部にランプの両端部を嵌挿することにより、簡単な構造でランプの位置決めを行うことができるという効果もある。
【図面の簡単な説明】
【００２９】
【図１】本願発明の実施の形態にかかる空気清浄機の縦断側面図（即ち、図２のＩ−Ｉ断面図）である。
【図２】本願発明の実施の形態にかかる空気清浄機の吸込グリル、メインフィルターおよび光触媒フィルターを取り外した状態の正面図である。
【図３】本願発明の実施の形態にかかる空気清浄機の縦断正面図である。
【図４】本願発明の実施の形態にかかる空気清浄機におけるメインフィルターの正面図である。
【図５】本願発明の実施の形態にかかる空気清浄機におけるメインフィルターの取付構造を示す断面図である。
【図６】本願発明の実施の形態にかかる空気清浄機における光触媒フィルターの部分拡大断面図である。
【図７】図２のＶＩＩ−ＶＩＩ断面図である。
【図８】本願発明の実施の形態にかかる空気清浄機における多翼羽根車の軸支構造を示す拡大断面図である。
【図９】本願発明の実施の形態にかかる空気清浄機における多翼羽根車の軸支構造を構成する防振ゴムの拡大正面図である。
【符号の説明】
【００３０】
１はケーシング、２は送風機、３はメインフィルター、４は光触媒フィルター、５はランプ、９は空気吸込口、１１は空気吹出口、１５は仕切板、１６は吸込口、１８はモータ支持部材、２１はプレフィルター、２２は活性炭フィルター、２３はテープ、２４はフィルター枠、２５は位置決め部、２６はリブ、２８は凹部、Ａは隙間、Ｂは間隔、Ｍは光触媒、θは傾斜角。
【図１】
0003555498.tif 000002
【図２】
0003555498.tif 000003
【図３】
0003555498.tif 000004
【図４】
0003555498.tif 000005
【図５】
0003555498.tif 000006
【図６】
0003555498.tif 000007
【図７】
0003555498.tif 000008
【図８】
0003555498.tif 000009
【図９】
0003555498.tif 000010